(57)【要約】【課題】引戸に取り付けられる引手の指掛け用凹部の深さを十分に確保する。【解決手段】引戸Ａの戸１１の取付孔１２に戸１１の両側面から互いに対応して取り付けられる第１及び第２引手部材１５，１６に、引手部材１５，１６の外周側面を裏面から表面に向かって段差状に切り欠くことで、取付孔１２に嵌合される嵌合部１５ａ，１６ａを設け、第１引手部材１５の嵌合部１５ａの嵌合深さｄ１を、第２引手部材１６の嵌合深さｄ２よりも小さくし、第１引手部材１５の戸１１の表面からの突出高さｈ１を第２引手部材１６の突出高さｈ２よりも大きくする。第１引手部材１５の突出高さｈ１を、戸１１と控え壁１０との隙間２５の間隔Ｌよりも大きくし、第２引手部材１６の突出高さｈ２は同間隔Ｌよりも小さくし、取付孔１２に第１引手部材１５は戸１１の控え壁１０と反対側の面から、また第２引手部材１６は戸１１の控え壁１０側の面からそれぞれ取り付ける。【選択図】図１
2008019653.tif 000002
【特許請求の範囲】
【請求項１】
引戸における戸の取付孔に戸の両側面からそれぞれ互いに対応して取り付けられかつ表面に指掛け用凹部を有する第１及び第２引手部材を備えた引手であって、
上記第１及び第２引手部材には、引手部材の外周側面を裏面側から表面側に向かって段差状に切り欠くことで、上記戸の取付孔に嵌合される嵌合部が設けられ、
上記第１引手部材の嵌合部の嵌合深さが第２引手部材の嵌合深さよりも小さく、
第１引手部材の戸表面からの突出高さが第２引手部材よりも大きいことを特徴とする引手。
【請求項２】
請求項１の引手において、
引戸は、引手が取り付けられる戸と控え壁又は引き違いの戸とを備えており、
第１引手部材の突出高さは、戸と控え壁との間の隙間又は戸と引き違いの戸との隙間の間隔よりも大きく、
第２引手部材の突出高さは、戸と控え壁との間の隙間又は戸と引き違いの戸との隙間の間隔よりも小さいことを特徴とする引手。
【請求項３】
請求項１の引手が取り付けられたことを特徴とする引戸。
【請求項４】
請求項２の引手が取り付けられた引戸であって、
第１引手部材は取付孔に、戸の控え壁又は引違いの戸と反対側の面から取り付けられている一方、
第２引手部材は取付孔に、戸の控え壁側又は引違いの戸側の面から取り付けられていることを特徴とする引戸。
【請求項５】
請求項２の引手が取り付けられた引戸であって、
第１引手部材は取付孔に、戸の控え壁側又は引違いの戸側の面から取り付けられている一方、
第２引手部材は取付孔に、戸の控え壁又は引違いの戸と反対側の面から取り付けられていることを特徴とする引戸。
【発明の詳細な説明】
【技術分野】
【０００１】
本発明は、引手及びそれを用いた引戸に関し、特に、引手の指掛け深さを大きく確保するための技術に関するものである。
【背景技術】
【０００２】
一般に、引戸においては、その戸の開閉を戸の面に沿った水平方向のスライドにより行うようになっており、この引戸の開閉を行い易くするために、従来より、例えば戸に貫通孔を設けて、この貫通孔に引手を設けることが行われている。この引手は、指が掛けられる指掛け用凹部が設けられた２つの引手部材からなり、これらの引手部材を戸の貫通孔に、戸の両表面から嵌合して取付固定するようにしている（特許文献１参照）。
【０００３】
しかしながら、この従来の引手の構成では、２つの引手部材を戸の貫通孔に戸の両表面から嵌合する関係上、その各々の指掛け用凹部の深さを深くしようとしても、最大で戸パネルの厚みの半分までしか深くすることはできない。このため、特に、戸パネルの厚みが薄手のものの場合には、引手として十分な指掛けの深さを確保することができず、手の力が弱い高齢者等にとって引戸の開閉が困難となる場合があった。
【０００４】
これを解決する手段として、従来、引手内に指掛け用凹部の底部となる中板を移動可能に設けることが提案されている（特許文献２参照）。
【特許文献１】特開平０８−２４６７２１号公報
【特許文献２】特開平１０−１３１５５２号公報
【発明の開示】
【発明が解決しようとする課題】
【０００５】
ところが、上記提案例の引手では、中板を移動させることで指掛け用凹部の深さを十分に確保できるものの、そのためには、引戸の開閉の都度、その一側から開く場合と他側から開く場合とで中板の位置を移動させる必要があり、その手間が煩わしいという問題がある。
【０００６】
本発明は斯かる点に鑑みてなされたもので、その目的は、引手を構成する２つの引手部材の構造を改良することで、移動可能な中板等を要することなく、引手の指掛け用凹部の深さを十分に確保できるようにすることにある。
【課題を解決するための手段】
【０００７】
上記の目的を達成するために、この発明では、２つの引手部材の戸の貫通孔に対する取付深さを互いに異ならせるようにした。
【０００８】
具体的には、請求項１の発明では、引戸における戸の取付孔に戸の両側面からそれぞれ互いに対応して取り付けられかつ表面に指掛け用凹部を有する第１及び第２引手部材を備えた引手であって、上記第１及び第２引手部材には、引手部材の外周側面を裏面側から表面側に向かって段差状に切り欠くことで、上記戸の取付孔に嵌合される嵌合部が設けられ、上記第１引手部材の嵌合部の嵌合深さが第２引手部材の嵌合深さよりも小さく、第１引手部材の戸表面からの突出高さが第２引手部材よりも大きいことを特徴としている。
【０００９】
この発明では、引手を構成する第１及び第２引手部材における嵌合部の取付孔への嵌合深さが互いに異なり、この嵌合深さの小さい側の第１引手部材の突出高さが、嵌合深さの大きい側の第２引手部材の突出高さよりも大きくなっているので、両引手部材における指掛け用凹部の底部の位置が戸の厚み方向中央の位置からずれ、その分、従来の引手に比べて指掛け用凹部の深さを深くすることができる。このことで、従来のように、移動可能な中板等を要することなく、引手の指掛け用凹部の深さを確保して、引戸の開閉を楽に行うことができる。
【００１０】
請求項２の発明では、引戸は、引手が取り付けられる戸と控え壁又は引き違いの戸とを備えており、第１引手部材の突出高さは、戸と控え壁との間の隙間又は戸と引き違いの戸との隙間の間隔よりも大きく、第２引手部材の突出高さは、戸と控え壁との間の隙間又は戸と引き違いの戸との隙間の間隔よりも小さいことを特徴としている。
【００１１】
この発明では、第１引手部材を取付孔に、戸の控え壁又は引違いの戸と反対側の面から、また第２引手部材を取付孔に、戸の控え壁側又は引違いの戸側の面からそれぞれ取り付けることで、引戸を開くときに、第２引手部材が戸と控え壁又は引違いの戸との間の隙間に入り込むようになり、戸を全体が控え壁又は引違いの戸と重なるように開いて、引戸の開口幅を大きくすることができる。一方、第１引手部材を取付孔に、戸の控え壁側又は引違いの戸側の面から、また第２引手部材を取付孔に、戸の控え壁又は引違いの戸と反対側の面からそれぞれ取り付けることで、引戸を開くときに、第１引手部材は戸と控え壁又は引違いの戸との間の隙間に入り込むことなくそれらに当接するようになり、指掛け用凹部内に位置する指が戸と控え壁又は引違いの戸との間の隙間に挟み込まれるという指詰めを防止することができる。
【００１２】
請求項３〜５の発明は引戸に係る発明であり、請求項３の発明の引戸は、請求項１の引手が取り付けられたことを特徴とする。この発明によると、請求項１の発明と同様の作用効果が得られる。
【００１３】
請求項４の発明の引戸は、請求項２の引手が取り付けられた引戸であって、第１引手部材は取付孔に、戸の控え壁又は引違いの戸と反対側の面から取り付けられている一方、第２引手部材は取付孔に、戸の控え壁側又は引違いの戸側の面から取り付けられていることを特徴とする。
【００１４】
この発明では、戸の控え壁側又は引違いの戸側の面に第２引手部材が取り付けられており、この第２引手部材の突出高さは、戸と控え壁との間の隙間又は戸と引き違いの戸との隙間の間隔よりも小さいため、引戸を開くときに、第２引手部材が戸と控え壁又は引違いの戸との隙間に入り込むようになり、戸をその全体が控え壁又は引違いの戸と重なるように開いて、引戸の引き残しをなくし、その開口幅を広く取ることができ、車椅子等を用いる場合に有効である。
【００１５】
請求項５の発明の引戸は、請求項２の引手が取り付けられた引戸であって、第１引手部材は取付孔に、戸の控え壁側又は引違いの戸側の面から取り付けられている一方、第２引手部材は取付孔に、戸の控え壁又は引違いの戸と反対側の面から取り付けられていることを特徴とする。
【００１６】
この発明では、戸の控え壁側又は引違いの戸側の面に第１引手部材が取り付けられており、この第１引手部材の突出高さは、戸と控え壁との間の隙間又は戸と引き違いの戸との隙間の間隔よりも大きいため、戸を開いた際に第１引手部材が控え壁又は引き違いの戸に当たって、引戸に引き残しが生じるようになり、指詰め等を防止することができる。
【発明の効果】
【００１７】
以上説明したように、請求項１又は３の発明によると、引戸における戸の取付孔に、引手を構成する第１及び第２引手部材を戸の両側からそれぞれ互いに対応して取り付ける場合に、第１引手部材の嵌合部の嵌合深さを第２引手部材よりも小さくして、第１引手部材の戸表面からの突出高さを第２引手部材よりも大きくしたことにより、両引手部材における指掛け用凹部の底部の位置を戸の厚み方向中央の位置からずらすことができ、移動可能な中板等を要することなく、引手の指掛け用凹部の深さを大きく確保して、引戸の開閉の容易化を図ることができる。
【００１８】
請求項２の発明によると、第１引手部材の突出高さを、引戸における戸と控え壁との間の隙間又は戸と引き違いの戸との隙間の間隔よりも大きくし、第２引手部材の突出高さを、戸と控え壁との間の隙間又は戸と引き違いの戸との隙間の間隔よりも小さくしたことにより、第１引手部材を戸の控え壁又は引違いの戸と反対側の面に、また第２引手部材を戸の控え壁側又は引違いの戸側の面にそれぞれ取り付けたときに、戸を全体が控え壁又は引違いの戸と重なるように開いて、引戸の開口幅を大きくすることができる一方、第１引手部材を戸の控え壁側又は引違いの戸側の面に、また第２引手部材を戸の控え壁又は引違いの戸と反対側の面にそれぞれ取り付けたときには、指詰めを防止することができる。
【００１９】
請求項４の発明によると、第１引手部材を、戸の控え壁又は引違いの戸と反対側の面に取り付ける一方、第２引手部材は、戸の控え壁側又は引違いの戸側の面に取り付けるようにしたことにより、引戸を開くときに、第２引手部材を戸と控え壁又は引違いの戸との間の隙間に入り込むようにして引き残しをなくし、引戸の開口幅を広く取って車椅子等の利用の際の使い勝手の向上を図ることができる。
【００２０】
請求項５の発明によると、第１引手部材を、戸の控え壁側又は引違いの戸側の面に取り付ける一方、第２引手部材は、戸の控え壁又は引違いの戸と反対側の面に取り付けるようにしたことにより、戸を開いた際に第１引手部材を控え壁又は引き違いの戸に当てて引戸に引き残しを生じさせ、指詰め等を防止することができる。
【発明を実施するための最良の形態】
【００２１】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２２】
（実施形態１）
図５は本発明の実施形態１に係る引戸Ａを示し、１は建物内の室Ｒの天井部、２は床部、３は壁部であって、これら天井部１、床部２及び壁部３に囲まれて室Ｒが形成されている。この室Ｒと室外空間（図示せず）とを仕切る壁部３には開口部４が設けられ、この開口部４が引戸Ａによって開閉される。この実施形態では、上記引戸Ａは片引戸であり、壁部３の開口部４の一半部（図５で右半部）を常時閉鎖して他半部（図５で左半部）に、室Ｒ内に出入りするための出入口Ｂを区画する控え壁１０と、この出入口Ｂ（開口部４の他半部）を開閉する、控え壁１０と同じ幅の戸１１とを備えている。開口部４の周囲の上部分には下面に例えば溝（図示せず）を有する鴨居７が、また下部分には上面に例えば溝又はレールを有する敷居（図示せず）がぞれぞれ形成されており、戸１１は鴨居７及び敷居間に溝やレールによって案内支持された状態で水平方向に移動して出入口Ｂを開閉し、出入口Ｂを開くときには、戸１１が図５で右側に移動して控え壁１０に対し所定の隙間２５（図６参照）をあけて全体が重なる一方、出入口Ｂを閉じるときには、戸１１が図５で左側に移動して右端部のみで控え壁１０と重なるようになっている。つまり、引戸Ａの戸１１は、控え壁１０に対し相対的に移動可能となっている。
【００２３】
上記戸１１の出入口Ｂ側の端縁寄りには所定の高さ位置に、戸１１に手を掛けて開閉するための引手１４が設けられている。すなわち、図１〜図４に拡大して示すように、戸１１の引手取付位置には上下方向に長い縦長の取付孔１２が戸１１の室内側及び室外側の各表面間に亘って貫通形成され、この取付孔１２に引手１４が取り付けられている。この引手１４は、取付孔１２に戸１１の室内側表面つまり控え壁１０と反対側の面から取り付けられる第１引手部材１５と、戸１１の室外側表面つまり控え壁１０側の面から取り付けられる第２引手部材１６とを備えている。これら１対の引手部材１５，１６は、いずれも裏面の中間部（周縁部を除く部分）が裏側に突出していて、戸１１の取付孔１２に対応する上下方向に長い縦長の有底箱形状のもので、表面には縦長形状の指掛け用凹部１７，１７が形成されている。
【００２４】
また、各引手部材１５，１６には、その引手部材１５，１６の外周側面を全体に亘り（又は部分的であってもよい）裏面から表面に向かって段差状に切り欠くことで、戸１１の取付孔１２に嵌合される嵌合部１５ａ，１６ａ（切欠部）が形成されており、この嵌合部１５ａ，１６ａを戸１１の取付孔１２に嵌合することにより、両引手部材１５，１６は取付孔１２に戸１１の表裏両側面からそれぞれ各々の指掛け用凹部１７，１７の底部裏面が当接（又は少しの隙間をあけて対向）するように互いに対応して取り付けられている。
【００２５】
上記第１引手部材１５の周縁部の上端及び下端にはそれぞれねじ挿通孔１９，１９が貫通形成されている。一方、第２引手部材１６の周縁部の上端及び下端における裏面（第１引手部材１５との対向面）にはそれぞれねじ穴２０，２０が上記第１引手部材１５のねじ挿通孔１９，１９と対応するように形成されており、上記のように両引手部材１５，１６の嵌合部１５ａ，１６ａを戸１１の取付孔１２に嵌合した状態で、第１引手部材１５のねじ挿通孔１９，１９にそれぞれ取付ねじ２１，２１を挿通し、その取付ねじ２１，２１を第２引手部材１６のねじ穴２０，２０に螺合締結することにより、両引手部材１５，１６を戸１１にそれを挟むように一体的に結合して取付固定するようにしている。尚、この引手部材１５，１６の戸１１への取付固定は、上記のようなねじ止めの他、接着剤、両面粘着テープ、嵌合等により行うことができる。しかし、施工後、第１引手部材１５と第２引手部材１６との位置を互いに取り換える場合のことを考慮すると、上記取外しが可能なねじ止めが好ましい。
【００２６】
引手１４の指の掛かり具合を戸１１の室内側及び室外側の両方で等しくするために、第１引手部材１５の指掛け用凹部１７の深さＤ１と、第２引手部材１６の指掛け用凹部１７の深さＤ２とを同じ（Ｄ１＝Ｄ２）か略同じ（Ｄ１≒Ｄ２）に設定しておくことが好ましい。また、図１及び図３に示すように、各引手部材１５，１６において指掛け用凹部１７の内側壁を開口側に対し凹ませておけば、指の掛かりをよくすることができる。
【００２７】
上記引手部材１５，１６の材料としては、例えばアルミニウムやステンレス等の金属、ＡＢＳ、ポリプロピレン、ポリスチレン、アクリル等の合成樹脂、木材等を用いることができ、必要に応じ表面に塗装等で化粧を施して用いる。
【００２８】
また、引手部材１５，１６の一部又は全体を蓄光材料で構成してもよい。こうして蓄光材料を用いることで、夜間等の暗い場合においても引手１４が発光するので、その位置を正確に知ることができる。
【００２９】
本発明の特徴として、図１〜図３に示すように、上記引手部材１５，１６における嵌合部１５ａ，１６ａの嵌合深さｄ１，ｄ２（裏面から表面に向かう方向に沿った切欠深さ）は第１及び第２引手部材１５，１６間で異なり、室内側に位置する第１引手部材１５の嵌合部１５ａの嵌合深さｄ１が室外側の第２引手部材１６の嵌合深さｄ２よりも小さくなっている（ｄ１＜ｄ２）。そして、第１引手部材１５の戸１１の室内側表面からの突出高さｈ１は、第２引手部材１６の戸１１の室外側表面からの突出高さｈ２よりも大きくなっている（ｈ１＞ｈ２）。
【００３０】
さらに、図６に示すように、上記第１引手部材１５の突出高さｈ１は、上記戸１１と控え壁１０との間の隙間２５の間隔Ｌよりも大きく（ｈ１＞Ｌ）、第２引手部材１６の突出高さｈ２は、戸１１と控え壁１０との間の隙間２５の間隔Ｌよりも小さく（ｈ２＜Ｌ）されている。
【００３１】
したがって、この実施形態では、戸１１の両側から取り付けられる第１及び第２引手部材１５，１６において、戸１１の取付孔１２に嵌合される嵌合部１５ａ，１６ａの嵌合深さｄ１，ｄ２が互いに異なり、取付孔１２に戸１１の室内側表面つまり控え壁１０と反対側の面から取り付けられる第１引手部材１５の嵌合部１５ａの嵌合深さｄ１は、戸１１の室外側表面つまり控え壁１０側の面から取り付けられる第２引手部材１６の嵌合部１６ａの嵌合深さｄ２よりも小さく、この嵌合深さｄ１の小さい側の第１引手部材１５の突出高さｈ１が、嵌合深さｄ２の大きい側の第２引手部材１６の突出高さｈ２よりも大きくなっているので、図１〜図３に示すように、引手１４は、その合わせ部（両引手部材１５，１６における指掛け用凹部１７，１７の底部の位置）が戸１１の厚み方向の中央位置Ｃから第１引手部材１５側つまり室内側に偏った状態で取り付けられ、その分、従来の引手に比べて指掛け用凹部１７，１７の深さを深く設定することができる。このことで、従来のように移動可能な中板等を要することなく、引手１４の指掛け用凹部１７，１７の深さを大きく確保して、引戸Ａの開閉を楽に行うことができる。
【００３２】
また、上記第２引手部材１６は、取付孔１２に戸１１の控え壁１０側の面から取り付けられ、この第２引手部材１６の突出高さｈ２は、戸１１と控え壁１０との間の隙間２５の間隔Ｌよりも小さいので、引戸Ａを開いたときに、図６に示すように、第２引手部材１６が戸１１と控え壁１０との間の隙間２５に入り込んで、戸１１の全体が控え壁１０と重なって開くようになり、引戸Ａの引き残しをなくして出入口Ｂを広く取ることができ、車椅子等を用いる場合に有効となる。
【００３３】
（実施形態２）
図７は本発明の実施形態２を示し（尚、図１〜図６と同じ部分については同じ符号を付してその詳細な説明は省略する）、第１及び第２引手部材１５，１６の取付位置を変えたものである。
【００３４】
すなわち、上記実施形態１では、図６に示すように、取付孔１２に対し第１引手部材１５が戸１１の室内側表面つまり控え壁１０と反対側の面から取り付けられ、第２引手部材１６が戸１１の室外側表面つまり控え壁１０側の面から取り付けられているのに対し、この実施形態２では、第２引手部材１６が取付孔１２に戸１１の室内側表面つまり控え壁１０と反対側の面から取り付けられ、第１引手部材１５が取付孔１２に戸１１の室外側表面つまり控え壁１０側の面から取り付けられている。その他の構成は実施形態１と同じである。
【００３５】
したがって、この実施形態の場合、戸１１の控え壁１０側の面に第１引手部材１５が取り付けられ、この第１引手部材１５の戸１１の室内側表面からの突出高さｈ１は、戸１１と控え壁１０との間の隙間２５の間隔Ｌよりも大きいため、戸１１を開いた際に第１引手部材１５が控え壁１０に当たって、引戸Ａに引き残しが生じる。このことで、指詰め等を防止することができる。
【００３６】
尚、この実施形態２において、引手１４の第１引手部材１５において控え壁１０と接触する部分をゴムやウレタン等の衝撃緩衝材で構成してもよい。これにより、引戸Ａを開けたときに衝撃緩衝材の部分を控え壁１０に接触させることができ、その際の衝撃を吸収緩和することができる。
【００３７】
また、その場合、第１引手部材１５の表面を合成皮革等の可撓性のシート部材で被覆しておけば、引手１４を主に構成する主材料と衝撃緩衝材との間の見かけの差を隠すことができ、見映えがよくなる。
【００３８】
（その他の実施形態）
尚、上記実施形態では、引手１４は縦長の長方形状のものであるが、引手１４の形状は正方形状や円形状等であってもよく、特に限定されないのは言うまでもない。
【００３９】
また、上記実施形態では、戸１１と控え壁１０とを持つ片引戸に適用しているが、本発明は両引戸、引込み戸、引違い戸等に適用することができる。引違い戸に適用した場合、上記実施形態の控え壁１０をそれに代えて引き違いの戸とすればよく、上記実施形態と同様の作用効果が得られる。
【００４０】
また、本発明は、住宅等の建物の開口に用いられる引戸は勿論、スライド式の収納扉へも適用することが可能である。
【産業上の利用可能性】
【００４１】
本発明は、引手の指掛け用凹部の深さを大に確保して、引戸の開閉の容易化を図ることができる点で極めて有用であり、産業上の利用可能性が高い。
【図面の簡単な説明】
【００４２】
【図１】図１は、図４のＩ−Ｉ線断面図である。
【図２】図２は、図４のII−II線断面図である。
【図３】図３は、図４のIII−III線断面図である。
【図４】図４は、本発明の実施形態１に係る引手を室内側から見た拡大正面図である。
【図５】図５は、室内から見た引戸の斜視図である。
【図６】図６は、戸及び控え壁間の隙間と引手との関係を引戸を開いた状態で示す水平断面図である。
【図７】図７は、本発明の実施形態２を示す図６相当図である。
【符号の説明】
【００４３】
Ａ  引戸
Ｒ  室
１０  控え壁
１１  戸
１２  取付孔
１４  引手
１５  第１引手部材
１５ａ  嵌合部
ｄ１  嵌合深さ
ｈ１  突出高さ
１６  第２引手部材
１６ａ  嵌合部
ｄ２  嵌合深さ
ｈ２  突出高さ
１７  指掛け用凹部
２５  隙間
Ｌ  間隔
【図１】
2008019653.tif 000003
【図２】
2008019653.tif 000004
【図３】
2008019653.tif 000005
【図４】
2008019653.tif 000006
【図５】
2008019653.tif 000007
【図６】
2008019653.tif 000008
【図７】
2008019653.tif 000009